【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
遊技を進行させるために操作される操作手段を備え、前記操作手段の操作により遊技が進行するスロットマシンであって、
所定の契機で計時動作を開始するとともに、計時している計時値が予め定められた所定値に達すると計時動作を終了する計時手段と、
この計時手段が計時動作を行っている間、当該スロットマシンの状態を、前記操作手段の操作によっても遊技が進行しない操作凍結状態へ一時的に移行させる操作凍結手段とを備え、
前記計時手段は、計時動作を行っている間に前記操作手段が操作されたことを契機として、予め定められた所定条件が成立した場合に、計時動作を行う時間である計時動作時間を変更するように形成されていることを特徴とするスロットマシン。
【請求項２】
前記計時手段が計時動作を行っている間に前記操作手段が操作されたことを契機として、前記計時手段の計時動作時間を変更するか否かの抽選を行う変更抽選手段を備え、
前記計時手段は、前記変更抽選手段による抽選で計時動作時間を変更する旨の抽選結果を引き当てた場合に、計時動作時間を変更するように形成されていることを特徴とする請求項１記載のスロットマシン。
【請求項３】
遊技を演出するための演出動作を行う演出手段と、
前記計時手段が計時動作を行っている間、前記演出手段に所定の演出動作を実行させる演出制御手段とを備え、
前記演出制御手段は、
前記計時手段の計時動作時間に合わせて、前記演出手段に所定の演出動作を実行させるように形成されていることを特徴とする請求項１又は２記載のスロットマシン。
【請求項４】
前記計時手段が計時動作時間を変更した場合には、所定の利益を付与するものの、前記計時手段が計時動作時間を変更しなかった場合には、前記所定の利益を付与しないように形成されていることを特徴とする請求項１、２又は３記載のスロットマシン。
【手続補正２】
【補正対象書類名】明細書
【補正対象項目名】０００９
【補正方法】変更
【補正の内容】
【０００９】
そこで、各請求項にそれぞれ記載された各発明は、上記した背景技術の有する問題点に鑑みてなされたものであり、その目的とするところは、フリーズ状態の時間変更の是非について遊技者の意思が反映されるスロットマシンを提供することである。
【手続補正３】
【補正対象書類名】明細書
【補正対象項目名】００１１
【補正方法】変更
【補正の内容】
【００１１】
（請求項１）
（特徴点）
請求項１記載の発明は、次の点を特徴とする。
すなわち、請求項１記載の発明は、遊技を進行させるために操作される操作手段を備え、前記操作手段の操作により遊技が進行するスロットマシン(１)であって、所定の契機で計時動作を開始するとともに、計時している計時値が予め定められた所定値に達すると計時動作を終了する計時手段(111) と、この計時手段(111) が計時動作を行っている間、当該スロットマシン(１)の状態を、前記操作手段の操作によっても遊技が進行しない操作凍結状態へ一時的に移行させる操作凍結手段(112) とを備え、前記計時手段(111) は、計時動作を行っている間に前記操作手段が操作されたことを契機として、予め定められた所定条件が成立した場合に、計時動作を行う時間である計時動作時間を変更するように形成されていることを特徴とする。
【手続補正４】
【補正対象書類名】明細書
【補正対象項目名】００１２
【補正方法】変更
【補正の内容】
【００１２】
（請求項２）
（特徴点）
請求項２記載の発明は、前述した請求項１記載の発明において、次の特徴点を備えたものである。
すなわち、請求項２に記載された発明は、前記計時手段(111)が計時動作を行っている間に前記操作手段が操作されたことを契機として、前記計時手段(111)の計時動作時間を変更するか否かの抽選を行う変更抽選手段を備え、前記計時手段(111)は、前記変更抽選手段による抽選で計時動作時間を変更する旨の抽選結果を引き当てた場合に、計時動作時間を変更するように形成されていることを特徴とする。
【手続補正５】
【補正対象書類名】明細書
【補正対象項目名】００１３
【補正方法】変更
【補正の内容】
【００１３】
（請求項３）
（特徴点）
請求項３記載の発明は、前述した請求項１又は請求項２記載の発明において、次の特徴点を備えたものである。
すなわち、請求項３に記載された発明は、遊技を演出するための演出動作を行う演出手段(66)と、前記計時手段(111) が計時動作を行っている間、前記演出手段(66)に所定の演出動作を実行させる演出制御手段(22)とを備え、前記演出制御手段(22)は、前記計時手段(111) の計時動作時間に合わせて、前記演出手段(66)に所定の演出動作を実行させるように形成されていることを特徴とする。
（請求項４）
（特徴点）
請求項４記載の発明は、前述した請求項１、請求項２又は請求項３記載の発明において、次の特徴点を備えたものである。
すなわち、請求項４に記載された発明は、前記計時手段(111) が計時動作時間を変更した場合には、所定の利益を付与するものの、前記計時手段(111) が計時動作時間を変更しなかった場合には、前記所定の利益を付与しないように形成されていることを特徴とする。
【手続補正６】
【補正対象書類名】明細書
【補正対象項目名】００１４
【補正方法】変更
【補正の内容】
【００１４】
（請求項１又は請求項２の効果）
請求項１又は請求項２に記載の発明は、以下に示すような効果を奏する。
すなわち、請求項１又は請求項２記載の発明によれば、所定の契機で計時動作を開始する計時手段と、この計時手段が計時動作を行っている間は、操作手段の操作によっても遊技が進行しない操作凍結状態にする操作凍結手段とを設け、計時手段が計時動作を行っている間に、遊技者が操作手段を操作すると、予め定められた所定条件が成立した場合に、フリーズ状態の時間が変更されるようにしたので、遊技者がフリーズ状態の時間変更を望まない場合には、計時手段の計時動作中に操作手段の操作を行わないことを選択すれば、フリーズ状態の時間が変更されることがなくなり、これにより、フリーズ状態の時間変更の是非について遊技者の意思が反映されるようになる。
【手続補正７】
【補正対象書類名】明細書
【補正対象項目名】００１５
【補正方法】変更
【補正の内容】
【００１５】
（請求項３の効果）
請求項３に記載の発明は、上記した請求項１又は請求項２記載の発明の効果に加え、次のような効果を奏する。
すなわち、請求項３記載の発明によれば、計時手段の計時動作中は、演出手段に所定の演出動作を実行させる演出制御手段を設け、フリーズ状態となっている間は、演出手段が所定の演出動作を行うようにしたので、演出手段が行う演出動作として、遊技者にとって有益な情報を提示するものや、遊技者を楽しませる娯楽性に優れたものを実行すれば、フリーズ状態が遊技者にとってさらに有意義なものとなる。
【手続補正８】
【補正対象書類名】明細書
【補正対象項目名】００１６
【補正方法】変更
【補正の内容】
【００１６】
（請求項４の効果）
請求項４に記載の発明は、上記した請求項１、請求項２又は請求項３記載の発明の効果に加え、次のような効果を奏する。
すなわち、請求項４記載の発明によれば、計時動作時間が変更された場合には、所定の利益を付与する一方、計時動作時間を変更されなかった場合には、所定の利益を付与しないようにしたので、フリーズ状態が遊技者にとってさらに有意義なものとなる。